(57)【要約】【課題】ユーザが受動的な動作で携帯端末を使用していても、携帯端末を使用中の状態に維持することを可能にした処理システムを提供する。【解決手段】携帯端末を保持する保持手段と組み合って携帯端末の落下を防止する防止手段、防止手段が携帯端末の落下を防止する状態である落下防止状態であるか否かを検出する検出手段、および、落下防止状態か否かを携帯端末が判定できるように検出手段による検出結果を携帯端末に伝送するための接続手段を含む保持装置と、保持装置から伝送される検出結果を基に所定の機能を制限またはその制限を解除する携帯端末と、を有する構成である。【選択図】図１
2014176054.tif 000002
【特許請求の範囲】
【請求項１】
所定の装置を保持する保持手段と、
前記保持手段と組み合わされ、前記所定の装置の落下を防止する防止手段と、
前記防止手段が前記所定の装置の落下を防止する状態である落下防止状態であるか否かを検出する検出手段と、
前記落下防止状態か否かを前記所定の装置が判定できるように前記検出手段による検出結果を該所定の装置に伝送するための接続手段と、
を有する保持装置。
【請求項２】
請求項１記載の保持装置において、
前記検出手段は、前記防止手段が人体の一部に装着されていると、前記落下防止状態であることを検出し、該防止手段が人体の一部に装着されていないと、前記落下防止状態でないことを検出する、保持装置。
【請求項３】
請求項２記載の保持装置において、
前記検出手段は静電容量センサまたは機械的スイッチである、保持装置。
【請求項４】
請求項１から３のいずれか１項記載の保持装置と、
前記保持装置から伝送される前記検出結果を受信する受信手段、および、該検出結果を基に所定の機能を制限または該制限を解除する制御手段を含む携帯端末と、
を有する処理システム。
【請求項５】
保持対象の装置を保持する保持手段と組み合って該保持対象の装置の落下を防止する防止手段、該防止手段が該保持対象の装置の落下を防止する状態である落下防止状態であるか否かを検出する検出手段、および、該落下防止状態か否かを前記保持対象の装置が判定できるように前記検出手段による検出結果を該保持対象の装置に伝送するための接続手段を含む保持装置から前記検出結果を受信する受信手段と、
前記検出結果を基に所定の機能を制限または該制限を解除する制御手段と、
を有する携帯端末。
【請求項６】
請求項５記載の携帯端末において、
前記制御手段は、
前記検出結果が前記落下防止状態を示すものである場合、前記所定の機能を制限し、前記検出結果が前記落下防止状態を示すものでない場合、前記所定の機能の制限を解除する、携帯端末。
【請求項７】
請求項６記載の携帯端末において、
前記所定の機能は、一定時間以上指示が入力されないと消費電力を抑えるモードに前記携帯端末を移行する機能である、携帯端末。
【請求項８】
所定の装置の落下を防止する防止手段を有する保持装置による情報処理方法であって、
前記防止手段が前記所定の装置を落下防止状態にしているか否かを検出し、
前記防止手段が前記所定の装置を落下防止状態にしているか否かを該所定の装置が判定できるように、前記検出の結果を該所定の装置に伝送する、情報処理方法。
【請求項９】
携帯端末と、該携帯端末の落下を防止する防止手段を備えた保持装置とを有する処理システムによる情報処理方法であって、
前記保持装置は前記防止手段が前記携帯端末を落下防止状態にしているか否かを検出し、
前記保持装置は、前記防止手段が前記携帯端末を落下防止状態にしているか否かを該携帯端末が判定できるように、前記検出の結果を該携帯端末に伝送し、
前記携帯端末は、前記保持装置から伝送される前記検出の結果を基に所定の機能を制限または該制限を解除する、情報処理方法。
【発明の詳細な説明】
【技術分野】
【０００１】
本発明は、保持装置、携帯端末、処理システムおよび情報処理方法に関する。
【背景技術】
【０００２】
消費電力を低減するために自動スリープモードという機能がほとんどの携帯端末に設けられている。自動スリープモードとは、携帯端末に一定時間アクセスがなければ携帯端末の画面を消灯する状態に自動的に移行するモードのことである。携帯端末へのアクセスとは、ユーザが携帯端末に対して行う能動的な動作による入力を意味するものとする。
【０００３】
ユーザが携帯端末に対して行う能動的な動作とは、例えば、ユーザが携帯端末に設けられたボタンを押すことなどによる指示入力の動作が該当する。これに対して、ユーザが携帯端末に対して行う受動的な動作、例えば、ユーザが携帯端末の画面を見る動作は、上記の「アクセス」には含まれない。したがって、携帯端末に自動スリープモードが設定されている場合、ユーザが携帯端末の画面をある程度長い時間見ようとしても、予め設定された一定時間が経過すると、自動的に画面を消灯するスリープモードに移行してしまう。ユーザが動画などを見ているときに、スリープモードに移行すると、動画の再生途中で画面が暗くなってしまう。そのため、ユーザが画面を見ていてもスリープモードに移行してしまうことが、自動スリープモードに対する、ユーザの不満の一因となっている。
【０００４】
この問題を解決するための方法として、携帯端末の筺体の側面にタッチセンサを設け、タッチセンサがユーザの指による接触を検出するか否かにより、ユーザが画面を見ているか否かを判別する方法が特許文献１に開示されている。
【０００５】
また、カメラ本体を吊り下げるストラップの張力を検出する張力検出手段をカメラに設け、ユーザがカメラを使用しているか否かを判別する方法が特許文献２に開示されている。カメラ本体がストラップにぶら下げられ、その張力を張力検出手段が検出すると、カメラの制御手段は本体が持ち運ばれていると判定し、特定の機能を停止する省電力モードに移行する制御を行う。しかし、ユーザがストラップを引っ張った状態で撮影を行った場合、カメラ本体がストラップにぶら下げられた状態にあると張力検出手段が誤検出してしまい、制御手段がカメラの電源をＯＦＦにしてしまうおそれがあった。そのため、特許文献２に開示された方法では、張力検出手段の他に、検出補助手段として加速度センサをカメラに設け、加速度センサがカメラ本体の揺れや傾きを検出し、検出結果に基づいて、ユーザがカメラを使用しているか否かを判別するようにしている。
【先行技術文献】
【特許文献】
【０００６】
【特許文献１】特開２００８−０７９１２７号公報
【特許文献２】特開２０１０−１５３９９１号公報
【発明の概要】
【発明が解決しようとする課題】
【０００７】
タッチセンサを携帯端末の筺体の側面に設けた場合、携帯端末の持ち方はユーザによって異なるため、ユーザがタッチセンサ以外の部分を掴んで画面を見ていると、携帯端末はユーザが端末を掴んでいないと誤判別してしまうことになる。
【０００８】
加速度センサを携帯端末に設けて、携帯端末の傾きや揺れを検出して、ユーザが携帯端末の画面を見ているか否かを判定させる場合、ユーザがどのような姿勢で画面を見るかは個々の事情によって異なるため、ユーザが画面を見ていると判定させる検出範囲を設定することは困難である。そのため、ユーザが画面を見ていても、見ていないと誤判別してしまうことが起こり得る。この問題は、ユーザが画面を見る場合に限らず、携帯端末に対して受動的な動作の全てが対象となる。
【０００９】
本発明は上述したような技術が有する問題点を解決するためになされたものであり、ユーザが受動的な動作で携帯端末を使用していても、携帯端末を使用中の状態に維持することを可能にした保持装置、携帯端末、処理システムおよび情報処理方法を提供することを目的とする。
【課題を解決するための手段】
【００１０】
上記目的を達成するための本発明の保持装置は、
所定の装置を保持する保持手段と、
前記保持手段と組み合わされ、前記所定の装置の落下を防止する防止手段と、
前記防止手段が前記所定の装置の落下を防止する状態である落下防止状態であるか否かを検出する検出手段と、
前記落下防止状態か否かを前記所定の装置が判定できるように前記検出手段による検出結果を該所定の装置に伝送するための接続手段と、
を有する構成である。
【００１１】
また、本発明の処理システムは、
上記本発明の保持装置と、
前記保持装置から前記検出結果を受信する受信手段、および、該検出結果を基に所定の機能を制限または該制限を解除する制御手段を含む携帯端末と、
を有する構成である。
【００１２】
また、本発明の携帯端末は、
保持対象の装置を保持する保持手段と組み合って該保持対象の装置の落下を防止する防止手段、該防止手段が該保持対象の装置の落下を防止する状態である落下防止状態であるか否かを検出する検出手段、および、該落下防止状態か否かを前記保持対象の装置が判定できるように前記検出手段による検出結果を該保持対象の装置に伝送するための接続手段を含む保持装置から前記検出結果を受信する受信手段と、
前記検出結果を基に所定の機能を制限または該制限を解除する制御手段と、
を有する構成である。
【００１３】
また、本発明の情報処理方法は、所定の装置の落下を防止する防止手段を有する保持装置による情報処理方法であって、
前記防止手段が前記所定の装置を落下防止状態にしているか否かを検出し、
前記防止手段が前記所定の装置を落下防止状態にしているか否かを該所定の装置が判定できるように、前記検出の結果を該所定の装置に伝送するものである。
【００１４】
さらに、本発明の情報処理方法は、携帯端末と、該携帯端末の落下を防止する防止手段を備えた保持装置とを有する処理システムによる情報処理方法であって、
前記保持装置は前記防止手段が前記携帯端末を落下防止状態にしているか否かを検出し、
前記保持装置は、前記防止手段が前記携帯端末を落下防止状態にしているか否かを該携帯端末が判定できるように、前記検出の結果を該携帯端末に伝送し、
前記携帯端末は、前記保持装置から伝送される前記検出の結果を基に所定の機能を制限または該制限を解除するものである。
【発明の効果】
【００１５】
本発明によれば、ユーザが携帯端末に対して受動的な動作で使用していても、携帯端末をユーザの使用中として動作させることができる。
【図面の簡単な説明】
【００１６】
【図１】本発明の一実施形態の情報処理システムの一構成例を示すブロック図である。
【図２】図１に示す保持装置の一構成例を示すブロック図である。
【図３】第１の実施形態の処理システムの一構成例を示すブロック図である。
【図４】第１の実施形態の処理システムの構成を説明するための外観図である。
【図５】図４に示したリングの一構成例を示す外観斜視図である。
【図６】図５に示したセンサ部の構成を説明するための図である。
【図７】図５に示したセンサ部の動作を説明するための図である。
【図８】図３に示した携帯端末と保持装置の接続構成を説明するための外観図である。
【図９】図３に示した保持装置および携帯端末の一構成例を示すブロック図である。
【図１０】第１の実施形態における携帯端末の動作手順を示すフローチャートである。
【図１１】第２の実施形態における携帯端末と保持装置の接続構成を説明するための外観図である。
【図１２】第２の実施形態における保持装置および携帯端末の一構成例を示すブロック図である。
【図１３】第２の実施形態における携帯端末の動作手順を示すフローチャートである。
【図１４】図２に示した防止手段の他の構成例を示す外観図である。
【図１５】図２に示した保持手段の他の構成例を示す外観図である。
【発明を実施するための形態】
【００１７】
本発明の一実施形態の情報処理システムの構成を説明する。図１は本発明の一実施形態の情報処理システムの一構成例を示すブロック図である。図２は図１に示す保持装置の一構成例を示すブロック図である。
【００１８】
図１に示すように、情報処理システムは、携帯端末１０と、携帯端末１０を保持する保持装置２０とを有する。
【００１９】
図２に示すように、保持装置２０は、携帯端末１０を保持する保持手段２１と、携帯端末１０の落下を防止する防止手段２２と、防止手段２２が落下防止状態であるか否かを検出する検出手段２３と、落下防止状態か否かを携帯端末１０が判定できるように検出手段２３による検出結果を携帯端末１０に伝送するための接続手段２４とを有する。
【００２０】
図１に示す携帯端末１０は、保持装置２０から伝送される検出結果を受信する受信手段１１と、受信手段１１が受信した検出結果を基に所定の機能を制限またはその制限を解除する制御手段１２とを有する。携帯端末１０は保持装置２０と保持手段２１を介して物理的に接続され、受信手段１１と接続手段２４は電気的に接続されている。
【００２１】
携帯端末１０は、保持装置２０から自端末が落下防止状態にあるか否かを示す検出結果が伝送されるため、落下防止状態にあればユーザが携帯端末１０を使用していると判定し、ユーザの使用に合わせて所定の機能を制限、またはその制限を解除することができる。
【００２２】
なお、本発明の携帯端末は、携帯電話・スマートフォンに限らず、他の携帯装置、例えば、ゲーム機、携帯音楽プレーヤー、デジタルカメラ、タブレットＰＣ（Personal Computer）、ノートＰＣ、ＰＤＡ（Personal Data Assistants：携帯情報端末）であってもよい。以下に、本発明の保持装置、携帯端末、および処理システムの実施形態を詳しく説明する。
【００２３】
（第１の実施形態）
本実施形態の処理システムの構成を説明する。図３は本実施形態の処理システムの一構成例を示すブロック図である。
【００２４】
図３に示すように、処理システムは、保持装置２００と、携帯端末１００とを有する。本実施形態では、携帯端末１００が携帯電話機の場合で説明するが、本発明に関連する構成および動作について詳しく説明し、携帯電話としての一般的な機能に関する構成および動作についての詳細な説明を省略する。
【００２５】
本実施形態の保持装置２００および携帯端末１００の構成を説明する。
【００２６】
図４は、本実施形態の処理システムの構成を説明するための外観図である。
【００２７】
携帯端末１００は表示部１０１を有する。本実施形態では、表示部１０１が消費電力低減のための制御対象であるものとするが、制御対象は表示部１０１に限らない。表示部１０１は、画面を点灯するためのバックライト（不図示）と、ユーザが指示を入力するためのタッチパネル（不図示）とを有する。
【００２８】
図３に示した保持装置２００はリングストラップ２１０を有する。リングストラップとは、リングが取り付けられたストラップのことである。リングストラップ２１０は、携帯端末１００を保持するための保持手段として役目を果たすストラップ部２０２と、ストラップ部２０２と組み合って携帯端末１００の落下を防止する防止手段としての役目を果たすリング２０１と、信号線２０３とを有する。
【００２９】
携帯端末１００とリング２０１は、ストラップ部２０２を介して物理的に接続され、信号線２０３を介して電気的に接続されている。図４は、携帯端末１００にリングストラップ２１０が接続された状態を示す。
【００３０】
ユーザは携帯端末１００を使用する際、図４に示す矢印方向に自分の指３００をリング２０１に通して携帯端末１００を掴むようにする。このようにすることで、ユーザが誤って携帯端末１００を手から離しても、リング２０１が指３００に装着されているため、携帯端末１００がリング２０１およびストラップ部２０２を介して指３００にぶら下がり、携帯端末１００が地面に落下するのを防ぐことができる。
【００３１】
リング２０１に用いる部材として種々の部材が考えられる。その一例として、リング２０１の部材に、伸び縮みしやすい絶縁体、例えば、ゴム等の弾性体を用いてもよい。この場合、リング２０１の内径がフレキシブルになるので、ユーザがリング２０１の内径よりも太い指にリング２０１を通せば、リング２０１と指との密着性が増し、落下防止効果が高まる。リング２０１の内径をフレキシブルにすることで、ユーザは、リング２０１に通す指の選択の幅を広げることが可能となる。
【００３２】
例えば、ユーザが電車内で立ったまま携帯端末１００を使用する場合、ユーザは通常よりも太い指にリング２０１を通すことが考えられる。これは、ユーザが立った状態で携帯端末１００を落としてしまうと、座った状態で机の上に落とす場合に比べて落下距離が大きくなり携帯端末１００を損傷させてしまう可能性が高く、リング２０１で指が多少締め付けられても、落下防止効果をより高めた方がよいからである。
【００３３】
図５は図４に示したリングの一構成例を示す外観斜視図である。
【００３４】
図５に示すように、リング２０１の円周の一部にセンサ部２０４が実装されている。センサ部２０４は指３００の影響による静電容量の変化を検出する。センサ部２０４には、図５に示す矢印の方向に図４に示したストラップ部２０２および信号線２０３が接続されているが、図５ではこれらの構成を図に示すことを省略している。
【００３５】
図６は図５に示したセンサ部の構成を説明するための図である。図６は、図５に示したリング２０１において、センサ部２０４を含む部分を図５に示す一点鎖線にそって矢印方向に切ったときの構造を示す断面斜視図である。
【００３６】
センサ部２０４は、導体で構成されたセンサパッド２０５およびグランドプレート２０７を含む静電容量センサと、センサパッド２０５を支持する絶縁プレート２０８ａと、絶縁体で構成された保護樹脂２０６ａ、２０６ｂとを有する。静電容量センサが図２に示した検出手段２３として機能する。保護樹脂２０６ａは図５に示したリング２０１の内側面に設けられている。図６は、保護樹脂２０６ａの材質が透明の場合であるが、透明でなくてもよい。
【００３７】
保護樹脂２０６ｂは保護樹脂２０６ａに対して図５に示したリング２０１の外側方向に設けられ、保護樹脂２０６ａおよび保護樹脂２０６ｂの間にセンサパッド２０５、グランドプレート２０７および絶縁プレート２０８ａが配置されている。グランドプレート２０７とセンサパッド２０５との間には隙間２３０が設けられている。センサパッド２０５およびグランドプレート２０７は信号線２０３を介して携帯端末１００と電気的に接続されている。
【００３８】
信号線２０３は、導線２０９を中心軸として、絶縁体２０８ｂ、グランド線２１１および保護被膜２１２が内側から外側にかけて同心円状に導線２０９を覆うように構成されている。導線２０９はセンサパッド２０５と電気的に接続され、グランド線２１１はグランドプレート２０７と電気的に接続されている。絶縁プレート２０８ａは絶縁体２０８ｂと物理的に接続されている。センサパッド２０５は導線２０９を介して携帯端末１００と電気的に接続され、グランドプレート２０７はグランド線２１１を介して携帯端末１００と電気的に接続されている。
【００３９】
図７は図５に示したセンサ部の動作を説明するための図である。
【００４０】
リング２０１内にユーザの指３００が入っていない状態では、センサパッド２０５とグランドプレート２０７との間に寄生容量２１４（実線で示す）が存在する。リング２０１内に指３００が入ると、指３００（グランドに接地された導体）とセンサパッド２０５（導体）との間に静電容量２１５（破線で示す）が発生し、センサパッド２０５およびグランドプレート２０７間の容量が増加する。測定される容量の変化は、信号線２０３を介して携帯端末１００に伝送される。
【００４１】
ユーザが携帯端末１００を使用する際、能動的および受動的のいずれの使用目的であっても、リング２０１に自分の指を入れて使用することになる。そのため、リングストラップ２１０は、携帯端末１００の落下を防止するだけでなく、ユーザが携帯端末１００に対して能動的に入力しなくても、少なくとも携帯端末１００に対して受動的に使用中であることを携帯端末１００に通知する役目も果たす。
【００４２】
図８は図３に示した携帯端末と保持装置の接続構成を説明するための外観図である。図８は、リングストラップ２１０のストラップ部２０２を携帯端末１００のストラップホール１０２に通した状態を示す。
【００４３】
リングストラップ２１０のストラップ部２０２を、携帯端末１００のストラップホール１０２に通した後、ストラップ２０２部のループ内にリング２０１を通して引っ張ることで、リングストラップ２１０を携帯端末１００に固定する。携帯端末１００側のコネクタ１０３とリングストラップ２１０側のコネクタ２１３は、信号線２０３と携帯端末１００とを電気的に接続するための接続端子である。
【００４４】
図９は図３に示した保持装置および携帯端末の一構成例を示すブロック図である。
【００４５】
保持装置２００は、図４から図８を参照して説明したリングストラップ２１０と、コネクタ２１３とを有する。リングストラップ２１０は、コネクタ２１３を介して携帯端末１００側のコネクタ１０３と電気的に接続される。信号線２０３およびコネクタ２１３は、静電容量センサによる検出結果として、センサパッド２０５およびグランドプレート２０７の間に生じる容量を携帯端末１００に伝送する接続手段としての役目を果たす。
【００４６】
図９に示すように、携帯端末１００は、表示部１０１と、制御部１０６と、発振回路１０４と、発振状態検出回路１０５とを有する。本実施形態では、発振回路１０４および発振状態検出回路１０５が、静電容量センサによる検出結果を保持装置２００から受信する受信手段としての役目を果たす。制御部１０６は、プログラムにしたがって処理を実行するＣＰＵ（Central Processing Unit）（不図示）と、プログラムを記憶するメモリ（不図示）とを有する。
【００４７】
発振回路１０４は、制御部１０６の指示により起動すると、保持装置２００から伝送される検出結果が示す容量に対応する周波数で発振する。例えば、発振回路１０４は、保持装置２００から伝送される容量の値が増加すると、発振する周波数が低くなり、保持装置２００から伝送される容量の値が低下すると、発振する周波数が高くなる。発振状態検出回路１０５は、発振回路１０４の発振周波数の変化を測定し、測定した周波数の変化を制御部１０６に伝送する。
【００４８】
制御部１０６には、ユーザの操作により自動スリープモードが予め設定されているものとする。この設定により、制御部１０６は、携帯端末１００に一定時間アクセスがなければ表示部１０１のバックライトへの電力供給を停止し、画面を消灯させる。以下では、携帯端末１００に一定時間アクセスがなければ、画面を消灯する設定を「スリープモードＯＮ」と称し、一定時間アクセスがなくても画面を消灯しない設定を「スリープモードＯＦＦ」と称する。本実施形態では、制御対象となる所定の機能を自動スリープモードとする。
【００４９】
制御部１０６は、携帯端末１００の起動後、発振回路１０４に発振開始を指示し、発振状態検出回路１０５から伝送される、周波数の変化を示す信号を監視する。制御部１０６は、周波数の変化を示す信号から静電容量センサの測定容量が増加したと判定すると、ユーザが画面を見ていると認識し、スリープモードＯＮが設定されていると、スリープモードＯＮの機能を制限し、設定をスリープモードＯＦＦに切り替える。
【００５０】
また、制御部１０６は、発振状態検出回路１０５から伝送される、周波数の変化を示す信号から静電容量センサの測定容量が低下したと判定すると、ユーザが画面を見ていないと認識し、スリープモードＯＮの機能に対する制限によりスリープモードＯＦＦが設定されていると、その制限を解除してスリープモードＯＮに設定を切り替える。
【００５１】
次に、本実施形態の携帯端末１００の動作を説明する。図１０は本実施形態における携帯端末の動作手順を示すフローチャートである。予め自動スリープモードが携帯端末１００に設定されているものとする。
【００５２】
携帯端末１００は、リングストラップ２１０から伝送される、センサ部２０４による検出結果を監視する（ステップＳ００１）。ユーザがリング２０１に指３００を入れると、センサパッド２０５とグランドプレート２０７との間に静電容量２１５分の容量が生じる。これにより、センサ部２０４の静電容量センサが測定容量の増加を検出し、その検出結果がリングストラップ２１０から携帯端末１００に伝送される。リングストラップ２１０のリング２０１内に指３００が入っていない場合には、センサ部２０４の静電容量センサで測定される容量は寄生容量２１４のままなので、携帯端末１００は監視状態に戻る。
【００５３】
携帯端末１００は、ステップＳ００１において、リングストラップ２１０から伝送される検出結果から静電容量センサの測定容量が増加したと判定すると、ユーザがリング２０１に指３００を入れて画面を見ていると認識する。続いて、携帯端末１００は、画面が消灯状態であるか否かを判定する（ステップＳ００２）。判定の結果、画面が消灯状態である場合、画面を点灯に切り替える（ステップＳ００３）。
【００５４】
画面を点灯状態にした後、携帯端末１００は、自動スリープモードの設定状態を確認する（ステップＳ００４）。スリープモードＯＦＦに設定されている場合、携帯端末１００はその設定を維持し、スリープモードＯＮに設定されている場合、自動スリープモードの設定を強制的にＯＮからＯＦＦに切り替える（ステップＳ００５）。
【００５５】
その後、携帯端末１００は、リングストラップ２１０から伝送される、センサ部２０４による検出結果が示す容量が低下するか否かを監視する（ステップＳ００６）。ユーザがリング２０１から指３００を引き抜くと、センサパッド２０５とグランドプレート２０７との間に生じていた静電容量２１５が消滅する。これにより、センサ部２０４が測定容量の低下を検出し、測定容量の低下に対応する信号がリングストラップ２１０から携帯端末１００に伝送される。
【００５６】
携帯端末１００は、ステップＳ００６において、リングストラップ２１０から伝送される検出結果から静電容量センサの測定容量が低下したと判定し、ユーザが画面を見なくなってリング２０１から指３００を引き抜いたと認識する。そして、携帯端末１００は、自動スリープモードの設定状態を確認する（ステップＳ００７）。強制的にスリープモードＯＦＦに設定されている場合、携帯端末１００は、その設定を解除し（ステップＳ００８）、ユーザの設定を有効にする。これにより、自動スリープモードの設定が、スリープモードＯＦＦからスリープモードＯＮに切り替わる。
【００５７】
本実施形態では、ユーザがリングストラップのリングに指を通すことで携帯端末の落下を防止するとともに、リング内側に設けられた静電容量センサにより、ユーザが指をリングに通したことが検出され、その検出結果が携帯端末に伝送される。そのため、携帯端末は、ユーザが携帯端末の画面を見ていると判定し、自動スリープモードが予め設定されていても、画面の消灯をせずバックライトへの電力供給を維持する。例えば、ユーザがゆっくり時間をかけて画面に表示されるＷｅｂページを観ていても、突然画面が暗くなってしまうことがない。また、ユーザが指をリングから抜くと、自動スリープモードを元の設定状態に戻すので、消費電力の低減効果を有効にできる。
【００５８】
本実施形態によれば、携帯端末が落下防止状態にあることを保持装置が検出することにより、ユーザが画面を見ている場合に限らず、携帯端末に対して受動的な動作で使用していても、携帯端末をユーザの使用中として動作させることができる。
【００５９】
なお、本実施形態では、容量を測定する静電容量センサがリング２０１に１つ設けられている場合で説明したが、静電容量センサが複数設けられていてもよい。
【００６０】
（第２の実施形態）
本実施形態は、図２に示した検出手段として、静電容量センサの代わりに機械的スイッチを用いたものである。本実施形態では、機械的スイッチがメンブレンスイッチの場合で説明する。本実施形態でも、制御対象が自動スリープモードの場合で説明する。
【００６１】
本実施形態の処理システムは、図３に示した構成と同様に、携帯端末１００および保持装置２００を有する構成である。本実施形態では、第１の実施形態と同様な構成についての詳細な説明を省略し、第１の実施形態と異なる構成および動作を詳細に説明する。
【００６２】
図１１は本実施形態における携帯端末と保持装置の接続構成を説明するための外観図である。
【００６３】
リングストラップ２５０は、ストラップ部２０２と、リング２０１と、信号線４０４とを有する。本実施形態では、図１１に示すように、リング２０１内にラバー状のメンブレンスイッチ４０２が設けられている。メンブレンスイッチ４０２は、ユーザが指３００をリング２０１に入れると、指３００に押されてＯＦＦからＯＮの状態に切り替わり、ユーザが指３００をリング２０１から引き抜くと、ＯＮからＯＦＦの状態に切り替わる。このようにして、メンブレンスイッチ４０２は、ユーザが指３００をリング２０１に入れているか否かを検出する。
【００６４】
携帯端末１００とリング２０１は、ストラップ部２０２を介して物理的に接続され、信号線４０４を介して電気的に接続されている。携帯端末１００側のコネクタ１１０とリングストラップ２５０側のコネクタ４０５は、信号線４０４と携帯端末１００とを電気的に接続するための接続端子である。
【００６５】
図１２は本実施形態における保持装置および携帯端末の一構成例を示すブロック図である。
【００６６】
保持装置２００は、図１１に示したリングストラップ２５０と、コネクタ４０５とを有する。リングストラップ２５０は、信号線４０４およびコネクタ４０５を介して携帯端末１００と電気的に接続される。信号線４０４およびコネクタ４０５は、メンブレンスイッチ４０２の検出結果として、ＯＮ状態またはＯＦＦ状態を示す信号を携帯端末１００に伝送する接続手段としての役目を果たす。
【００６７】
信号線４０４は、導線４０９と導線４１１とを有する。導線４０９は、一方の端がメンブレンスイッチ４０２の一方の電極に接続され、他方の端がコネクタ４０５に接続されている。導線４１１は、一方の端がメンブレンスイッチ４０２の他方の電極に接続され、他方の端がコネクタ４０５に接続されている。信号線４０４の構成は、例えば、図６に示した信号線２０３において、導線２０９に導線４０９が相当し、グランド線２１１に導線４１１が相当する。
【００６８】
本実施形態の携帯端末１００は、表示部１０１と、制御部１０６と、プルアップ抵抗１１１およびプルダウン抵抗１１２と、コネクタ１１０とを有する。本実施形態では、プルアップ抵抗１１１およびプルダウン抵抗１１２は、自端末が落下防止状態であるか否かを示す、メンブレンスイッチ４０２の検出結果を保持装置２００から受け取る受信手段としての役目を果たす。
【００６９】
プルアップ抵抗１１１は、２つの端子のうち一方の端子が、内部電圧Ｖｃｃが供給される電圧線に接続され、他方の端子が信号線１２１に接続されている。プルダウン抵抗１１２は、接地電位が印加されたグランド線と信号線１２２との間に接続されている。プルアップ抵抗１１１の抵抗値をＲ１とし、プルダウン抵抗１１２の抵抗値をＲ２とすると、これら２つの抵抗値の関係は、Ｒ１≪Ｒ２となっている。
【００７０】
信号線１２１はコネクタ１１０、４０５を介してリングストラップ２５０側の導線４０９と接続されている。信号線１２２はコネクタ１１０、４０５を介してリングストラップ２５０側の導線４１１と接続されている。また、信号線１２２は制御部１０６と接続されている。
【００７１】
ユーザが指３００をリングストラップ２５０のリング２０１に挿入すると、指３００の押圧でメンブレンスイッチ４０２の状態がＯＦＦからＯＮに変化し、Ｒ１≪Ｒ２の関係により信号線１２２の電位レベルがＬＯＷからＨＩＧＨに変化する。ユーザが指３００をリング４０１から引き抜くと、指３００による押圧から解放されるためメンブレンスイッチ４０２の状態がＯＮからＯＦＦに変化し、抵抗値Ｒ１に比べて非常に大きい抵抗値Ｒ２のプルダウン抵抗１１２により信号線１２２の電位レベルがＨＩＧＨからＬＯＷに変化する。
【００７２】
制御部１０６には、ユーザの操作により自動スリープモードが予め設定されているものとする。制御部１０６は、携帯端末１００の起動後、信号線１２２の電位レベルを監視する。制御部１０６は、信号線１２２の電位レベルがＬＯＷからＨＩＧＨに変化すると、メンブレンスイッチ４０２がＯＮになったと判定し、ユーザが画面を見ていると認識し、スリープモードＯＮが設定されていると、スリープモードＯＮの機能を制限し、設定をスリープモードＯＦＦに切り替える。
【００７３】
また、制御部１０６は、信号線１２２の電位レベルがＨＩＧＨからＬＯＷに変化すると、メンブレンスイッチ４０２がＯＦＦになったと判定し、ユーザが画面を見ていないと認識し、スリープモードＯＮの機能に対する制限によりスリープモードＯＦＦが設定されていると、その制限を解除してスリープモードＯＮに設定を切り替える。
【００７４】
次に、本実施形態の携帯端末１００の動作を説明する。図１３は本実施形態における携帯端末の動作手順を示すフローチャートである。予め自動スリープモードが携帯端末１００に設定されているものとする。
【００７５】
携帯端末１００は、リングストラップ２５０から信号線１２２を介して伝送される電位レベルを参照することで、メンブレンスイッチ４０２の状態を監視する（ステップＳ１０１）。ユーザがリング２０１に指３００を入れると、指３００の押圧でメンブレンスイッチ４０２の状態がＯＦＦからＯＮに切り替わる。これにより、信号線１２２の電位レベルがＬＯＷからＨＩＧＨに変化する。
【００７６】
携帯端末１００は、ステップＳ１０１において、信号線１２２の電位レベルの変化により、メンブレンスイッチ４０２がＯＮしたと判定すると、ユーザがリング２０１に指３００を入れて画面を見ていると認識する。続いて、携帯端末１００は、画面が消灯状態であるか否かを判定する（ステップＳ１０２）。判定の結果、画面が消灯状態である場合、画面を点灯に切り替える（ステップＳ１０３）。
【００７７】
画面を点灯状態にした後、携帯端末１００は、自動スリープモードの設定状態を確認する（ステップＳ１０４）。スリープモードＯＦＦに設定されている場合、携帯端末１００はその設定を維持し、スリープモードＯＮに設定されている場合、自動スリープモードの設定を強制的にＯＮからＯＦＦに切り替える（ステップＳ１０５）。
【００７８】
その後、携帯端末１００は、リングストラップ２５０から信号線１２２を介して伝送される電位レベルを参照することで、メンブレンスイッチ４０２の状態を監視する（ステップＳ１０６）。ユーザがリング２０１から指３００を引き抜くと、指３００による押圧から解放されるためメンブレンスイッチ４０２の状態がＯＮからＯＦＦに切り替わる。これにより、信号線１２２の電位レベルがＨＩＧＨからＬＯＷに変化する。
【００７９】
携帯端末１００は、ステップＳ１０６において、信号線１２２の電位レベルの変化により、メンブレンスイッチ４０２がＯＦＦしたと判定すると、ユーザが画面を見なくなってリング２０１から指３００を引き抜いたと認識する。そして、携帯端末１００は、自動スリープモードの設定状態を確認する（ステップＳ１０７）。強制的にスリープモードＯＦＦに設定されている場合、携帯端末１００は、その設定を解除し（ステップＳ１０８）、ユーザの設定を有効にする。これにより、自動スリープモードの設定が、スリープモードＯＦＦからスリープモードＯＮに切り替わる。
【００８０】
本実施形態では、ユーザがリングストラップのリングに指を通すことで携帯端末の落下を防止するとともに、リング内側に設けられたスイッチにより、ユーザが指をリングに通したことが検出され、その検出結果が携帯端末に伝送される。そのため、第１の実施形態と同様な効果を得ることができる。本実施形態では、第１の実施形態に比べて、携帯端末１０における受信手段１１の回路構成を簡略化できる。
【００８１】
なお、上述の第１および第２の実施形態では、図２に示した防止手段２２がリングの場合で説明したが、防止手段２２の形状はリングに限らない。
【００８２】
図１４は防止手段の他の構成例を示す外観図である。
【００８３】
図１４（ａ）は、防止手段２２の形状が、リング２０１の一部に切欠きが設けられた切欠き輪２３１の場合を示す。切欠き輪２３１の円周の一部にセンサ部２０４が設けられている。図１４（ａ）に示すように、リング２０１の円周全体のうち、１０〜１５％欠損した形状であっても、ユーザが指を切欠き輪２３１に通すことで、携帯端末１００の落下防止の効果を得ることができる。
【００８４】
図１４（ｂ）は、防止手段２２として、リング２０１の代わりに指サック２３２を用いた場合を示す。指サック２３２の内側にセンサ部２０４が配置されている。指サック２３２の部材をゴム等の弾性体にすれば、弾性体がユーザの指により密着しやすくなり、落下防止効果が高くなる。
【００８５】
図１４（ｃ）は、保持手段２１となるストラップ２３４に、そのループの大きさを可変にするための留め具２３５を防止手段２２として設けた構成を示す。図１４（ｃ）に示す構成では、ストラップ２３４には図６に示した信号線２０３が内蔵されている。留め具２３５にセンサ部２０４が設けられている。ユーザは、携帯端末１００を使用する際、ストラップ２３４のループを広げて自分の手首まで通した後、ループの大きさが手首の太さになるように留め具２３５を締め付ける。これにより、センサ部２０４がユーザの手首に接触するようになる。ユーザが誤って携帯端末１００を手から離し、携帯端末１００にかかる重力によりストラップ２３４が地面の方向に引っ張られても、留め具２３５が手首からストラップ２３４がすり抜けることを防ぎ、携帯端末１００の地面への落下を防げる。
【００８６】
なお、図１４（ａ）〜図１４（ｃ）に示すセンサ部２０４の位置は、それぞれの図に示す位置に限定されない。また、図１４（ａ）〜図１４（ｃ）に示す構成においても、検出手段として、静電容量センサの代わりに、機械的スイッチを設けてもよい。
【００８７】
また、上述の第１および第２の実施形態では、図２に示した保持手段２１がストラップの場合で説明したが、保持手段２１はストラップに限らない。保持手段２１が携帯端末１００の筺体に直接に設けられていてもよい。保持手段２１がストラップ以外の場合の一例を説明する。
【００８８】
図１５は保持手段の他の構成例を示す外観図である。図１５は、携帯端末１００がスマートフォンで、保持手段２１がそのスマートフォンのカバーの場合である。
【００８９】
図１５（ａ）および図１５（ｂ）は、カバー３５１をスマートフォン（不図示）に装着したとき、スマートフォンの表示部（不図示）とは反対側の背面側からカバー３５１を見た場合である。カバー３５１はスマートフォンを背面と側面で保持する構成である。背面３５２に設けられ開口３５３は、スマートフォンに設けられたカメラで撮影可能にするためのものである。
【００９０】
図１５（ａ）に示すように、背面３５２にリング２０１が設けられている。リング２０１は、ユーザが左手（破線で示す）でカバー３５１を掴んだとき、人差し指をリング２０１に差し込める位置に、背面３５２に配置されている。
【００９１】
図１５（ｂ）はリング２０１を畳んだ状態を示す図である。図１５（ｂ）に示すように、リング２０１はヒンジ２３７を介して背面３５２に接続されている。ユーザはスマートフォンを鞄などに入れる際、リング２０１を押し倒してリング２０１が背面３５２と平行になるように折り畳めばよい。この構成により、ユーザがスマートフォンを使用しないときでも、リング２０１が邪魔にならない。
【００９２】
なお、図１５に示すカバー３５１において、リング２０１の代わりに、図１４に示した切欠き輪２３１や指サック２３２を設けてもよい。
【符号の説明】
【００９３】
１０    携帯端末
１１    受信手段
１２    制御手段
２０    保持装置
２１    保持手段
２２    防止手段
２３    検出手段
２４    接続手段
【図１】
2014176054.tif 000003
【図２】
2014176054.tif 000004
【図３】
2014176054.tif 000005
【図４】
2014176054.tif 000006
【図５】
2014176054.tif 000007
【図６】
2014176054.tif 000008
【図７】
2014176054.tif 000009
【図８】
2014176054.tif 000010
【図９】
2014176054.tif 000011
【図１０】
2014176054.tif 000012
【図１１】
2014176054.tif 000013
【図１２】
2014176054.tif 000014
【図１３】
2014176054.tif 000015
【図１４】
2014176054.tif 000016
【図１５】
2014176054.tif 000017